【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
所定のコンテンツを再生するための第１信号を第１伝送経路を介して受信する第１受信部と、
前記所定のコンテンツを再生するための第２信号であって、前記第１信号と同期して再生されるべき第２信号を、第２伝送経路を介して受信する第２受信部と、
前記第１信号および前記第２信号に基づき、前記第１信号および／または前記第２信号に含まれる、互いに異なる伝送経路で受信される信号どうしを同期するために用いられる制御情報の少なくとも一部を含まない、前記所定のコンテンツを再生するためのデータを記録媒体に記録する記録手段と、を備える録画装置。
【請求項２】
前記第１受信部からの信号と前記第２受信部からの信号とを同期する同期手段を備え、
前記記録手段は、前記同期手段からの出力に基づき、前記データを前記記録媒体に記録する、請求項１に記載の録画装置。
【請求項３】
前記第１信号および前記第２信号は、ＭＰＥＧ−Ｈ  ＭＭＴに準拠しており、
前記データは、ＭＰＥＧ２−ＴＳに準拠している、請求項１または２に記載の録画装置。
【請求項４】
前記第１伝送経路は放送であり、前記第２伝送経路は通信であり、
前記記録手段は、前記第１信号に含まれる前記制御情報を取り除いて、前記データを記録する、請求項１ないし３のいずれかに記載の録画装置。
【請求項５】
所定のコンテンツを再生するための、ＭＰＥＧ−Ｈ  ＭＭＴに準拠した第１信号を受信する第１手段と、
前記第１信号に基づいて、前記所定のコンテンツを再生するための、ＭＰＥＧ２−ＴＳに準拠した第２信号を生成する第２手段と、
前記第２信号に基づいて、前記所定のコンテンツを再生するためのデータを記録媒体に記録する記録手段と、を備える録画装置。
【請求項６】
前記第１信号は、互いに異なる伝送経路で受信される信号どうしを同期するために用いられる制御情報を含んでおり、
前記第２信号は、前記制御情報の少なくとも一部を含まない、請求項５に記載の録画装置。
【請求項７】
前記第１信号に基づいて前記所定のコンテンツを再生するためのデータを記録媒体に記憶するのに比べて、前記第２信号に基づいて前記所定のコンテンツを再生するためのデータを記録媒体に記憶する方が、データ量が少ない、請求項５または６に記載の録画装置。
【請求項８】
前記第２手段は、前記第１信号を変換することによって前記第２信号を生成する、請求項５乃至７のいずれかに記載の録画装置。
【請求項９】
所定のコンテンツを再生するための、ＭＰＥＧ−Ｈ  ＭＭＴに準拠した信号を受信する手段と、
前記信号に基づいて、前記所定のコンテンツを再生するための、ＭＰＥＧ２−ＴＳに準拠したデータを記録媒体に記録する記録手段と、を備える録画装置。
【請求項１０】
前記信号は、互いに異なる伝送経路で受信される信号どうしを同期するために用いられる制御情報を含んでおり、
前記データは、前記制御情報の少なくとも一部を含まない、請求項９に記載の録画装置。
【請求項１１】
コンピュータを、
所定のコンテンツを再生するための第１信号を第１伝送経路を介して受信する手段と、
前記所定のコンテンツを再生するための第２信号であって、前記第１信号と同期して再生されるべき第２信号を、第２伝送経路を介して受信する手段と、
前記第１信号および前記第２信号に基づき、前記第１信号および／または前記第２信号に含まれる、互いに異なる伝送経路で受信される信号どうしを同期するために用いられる制御情報の少なくとも一部を含まない、前記所定のコンテンツを再生するためのデータを記録媒体に記録する手段と、として機能させる録画プログラム。
【請求項１２】
コンピュータを、
所定のコンテンツを再生するための、ＭＰＥＧ−Ｈ  ＭＭＴに準拠した第１信号に基づいて、前記所定のコンテンツを再生するための、ＭＰＥＧ２−ＴＳに準拠した第２信号を生成する手段と、
前記第２信号に基づいて、前記所定のコンテンツを再生するためのデータを記録媒体に記録する手段と、として機能させる録画プログラム。
【請求項１３】
コンピュータを、所定のコンテンツを再生するための、ＭＰＥＧ−Ｈ  ＭＭＴに準拠した信号に基づいて、前記所定のコンテンツを再生するための、ＭＰＥＧ２−ＴＳに準拠したデータを記録媒体に記録する手段として機能させる録画プログラム。
【請求項１４】
所定のコンテンツを再生するための第１信号を第１伝送経路を介して受信し、
前記所定のコンテンツを再生するための第２信号であって、前記第１信号と同期して再生されるべき第２信号を、第２伝送経路を介して受信し、
前記第１信号および前記第２信号に基づき、前記第１信号および／または前記第２信号に含まれる、互いに異なる伝送経路で受信される信号どうしを同期するために用いられる制御情報の少なくとも一部を含まない、前記所定のコンテンツを再生するためのデータを記録媒体に記録する録画方法。
【請求項１５】
所定のコンテンツを再生するための、ＭＰＥＧ−Ｈ  ＭＭＴに準拠した第１信号を受信し、
前記第１信号に基づいて、前記所定のコンテンツを再生するための、ＭＰＥＧ２−ＴＳに準拠した第２信号を生成し、
前記第２信号に基づいて、前記所定のコンテンツを再生するためのデータを記録媒体に記録する、を備える録画方法。
【請求項１６】
所定のコンテンツを再生するための、ＭＰＥＧ−Ｈ  ＭＭＴに準拠した信号を受信し、
前記信号に基づいて、前記所定のコンテンツを再生するための、ＭＰＥＧ２−ＴＳに準拠したデータを記録媒体に記録する、録画方法。
【請求項１７】
所定のコンテンツを再生するための第１信号を受信する第１手段と、
前記第１信号に基づいて、前記所定のコンテンツを再生するための第２信号を生成する第２手段と、
前記第２信号に基づいて、前記所定のコンテンツを再生するためのデータを記録媒体に記録する第３手段と、を備え、
前記第１信号は、互いに異なる伝送経路で受信される信号どうしを同期するために用いられる制御情報を含んでおり、
前記第２信号は、前記制御情報の少なくとも一部を含まない、録画装置。
【請求項１８】
前記記録手段は、前記第１信号および／または前記第２信号に含まれる前記制御情報を取り除いて、前記データを記録する、請求項１乃至３のいずれかに記載の録画装置。
【請求項１９】
前記データは、前記制御情報を含まない、請求項１乃至１０，１７および１８のいずれかに記載の録画装置。
【請求項２０】
前記第２信号は、前記制御情報を含まない、請求項６に記載の録画装置。
【請求項２１】
前記第１信号は、映像信号または音声信号であり、
前記第２信号は、映像信号または音声信号であり、
前記記録手段は、前記第１信号に基づく映像または音声と、前記第２信号に基づく映像または音声と、が同期された状態で前記データを記録する、請求項１乃至１０および１７乃至２０のいずれかに記載の録画装置。
【請求項２２】
前記第１信号は、映像信号であり、
前記第２信号は、音声信号であり、
前記記録手段は、前記第１信号に基づく映像と、前記第２信号に基づく音声と、が同期された状態で前記データを記録する、請求項１乃至１０および１７乃至２０のいずれかに記載の録画装置。
【請求項２３】
前記第１信号は、ある視点からの映像を示す映像信号であり、
前記第２信号は、他の視点からの映像を示す映像信号であり、
前記記録手段は、前記第１信号に基づく映像と、前記第２信号に基づく映像と、が同期された状態で前記データを記録する、請求項１乃至１０および１７乃至２０のいずれかに記載の録画装置。
【請求項２４】
コンピュータを、
所定のコンテンツを再生するための第１信号を受信する第１手段と、
前記第１信号に基づいて、前記所定のコンテンツを再生するための第２信号を生成する第２手段と、
前記第２信号に基づいて、前記所定のコンテンツを再生するためのデータを記録媒体に記録する第３手段と、を備え、
前記第１信号は、互いに異なる伝送経路で受信される信号どうしを同期するために用いられる制御情報を含んでおり、
前記第２信号は、前記制御情報の少なくとも一部を含まない、録画プログラム。
【請求項２５】
所定のコンテンツを再生するための第１信号を受信し、
前記第１信号に基づいて、前記所定のコンテンツを再生するための第２信号を生成し、
前記第２信号に基づいて、前記所定のコンテンツを再生するためのデータを記録媒体に記録し、
前記第１信号は、互いに異なる伝送経路で受信される信号どうしを同期するために用いられる制御情報を含んでおり、
前記第２信号は、前記制御情報の少なくとも一部を含まない、録画方法。
【手続補正２】
【補正対象書類名】明細書
【補正対象項目名】０００２
【補正方法】変更
【補正の内容】
【０００２】
「ＭＰＥＧ−Ｈ  ＭＭＴ」が新たなスタンダードとなる可能性がある。
【手続補正３】
【補正対象書類名】明細書
【補正対象項目名】０００４
【補正方法】変更
【補正の内容】
【０００４】
コンテンツを再生できるよう録画を行うこと、とりわけ効率よく録画を行うことを１つの目的とする。